【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
最短波長λＢより長くかつ最長波長λＲより短い複数の波長によって特徴付けられる色スペクトルを有する光を誘導するための回折光学素子であって、光は第一視野角α−ＦＯＶより大きくかつ第二視野角α＋ＦＯＶより小さい角度で回折光学素子に衝突し、前記回折光学素子は光透過性基板に形成された直線格子を備え、
（ａ）前記直線格子が、λＢの波長およびα−ＦＯＶの衝突角度を有する光の全反射を可能にするように選択されたピッチｄによって特徴付けられ、かつ
（ｂ）前記光透過性基板が、λＲの波長およびα＋ＦＯＶの衝突角度を有する光の全反射を可能にするように選択された最小屈折率ｎＭＩＮより大きい屈折率ｎＳによって特徴付けられて成る、
回折光学素子。
【請求項２】
λＲがλＢより少なくとも３０ｎｍ大きい請求項１記載の回折光学素子。
【請求項３】
α−ＦＯＶおよびα＋ＦＯＶが各々独立に、前記光透過性基板に直角な方向に対して６度より上の絶対値を有する請求項１記載の回折光学素子。
【請求項４】
λＲがλＢより少なくとも３０ｎｍ大きく、さらにα−ＦＯＶおよびα＋ＦＯＶが各々独立に、前記光透過性基板に直角な方向に対して５度より上の絶対値を有する請求項１記載の回折光学素子。
【請求項５】
前記格子ピッチｄが約０．５λＢから約０．９９λＢの間である請求項１記載の回折光学素子。
【請求項６】
前記格子ピッチｄは、前記λＢと前記ｄの間の比が約１．５の平均値を持つように選択される請求項１記載の回折光学素子。
【請求項７】
前記格子ピッチがλＢ／〔ｎＡ（１−ｓｉｎα−ＦＯＶ）〕より小さいかそれに等しく、ここでｎＡは外部媒質の屈折率である請求項１記載の回折光学素子。
【請求項８】
前記最小屈折率がλＲ／ｄ＋ｎＡｓｉｎ（α＋ＦＯＶ）より大きい請求項１記載の回折光学素子。
【請求項９】
前記全反射は予め定められた最大回折角αＤＭＡＸによって特徴付けられ、それは前記光透過性基板に直角な方向に対して９０度より小さい請求項１記載の回折光学素子。
【請求項１０】
前記全反射は予め定められた最大回折角αＤＭＡＸによって特徴付けられ、それは予め定められた距離ｘ内の少なくとも一つの反射を可能にするように選択される請求項１記載の回折光学素子。
【請求項１１】
前記予め定められた距離が３０ｍｍないし８０ｍｍである請求項１０記載の回折光学素子。
【請求項１２】
前記最小屈折率が〔λＲ／ｄ＋ｓｉｎ（α＋ＦＯＶ）〕／ｓｉｎ（αＤＭＡＸ）に等しい請求項９記載の回折光学素子。
【請求項１３】
前記最小屈折率が〔λＲ／ｄ＋ｓｉｎ（α＋ＦＯＶ）〕／ｓｉｎ（αＤＭＡＸ）に等しい請求項１０記載の回折光学素子。
【請求項１４】
λＢが約４００から約５００ｎｍの間であり、λＲが約６００から約７００ｎｍの間である請求項１記載の回折光学素子。
【請求項１５】
前記ｎＭＩＮが約１．６から約２．０の間である請求項１記載の回折光学素子。
【請求項１６】
前記光透過性基板が約０．５ｍｍから約５ｍｍの範囲の厚さである請求項１記載の回折光学素子。
【請求項１７】
前記光透過性基板はガラスおよび透明ポリマから成るグループから選択される請求項１記載の回折光学素子。
【請求項１８】
前記直線回折格子は反射直線回折格子および透過直線回折格子から成るグループから選択される請求項１記載の回折光学素子。
【請求項１９】
前記直線回折格子はホログラフィ、コンピュータ生成マスク、リソグラフィ、エンボス加工、エッチング、および直接書刻から成るグループから選択された手順によって記録される請求項１記載の回折光学素子。
【請求項２０】
最短波長λＢより長くかつ最長波長λＲより短い複数の波長によって特徴付けられる色スペクトルを有する光を透過するための光学装置であって、光は第一視野角α−ＦＯＶより大きくかつ第二視野角α＋ＦＯＶより小さい角度で光学装置に衝突し、前記光学装置は、光透過性基板に形成された第一回折光学素子と、前記光透過性基板に形成され、かつ前記第一回折光学素子から側方に偏位した第二回折光学素子とを備え、
（ａ）前記第一および前記第二回折光学素子が、λＢの波長およびα−ＦＯＶの衝突角度を有する光の全反射を可能にするように選択されたピッチｄによって特徴付けられる直線格子であり、かつ
（ｂ）前記光透過性基板が、λＲの波長およびα＋ＦＯＶの衝突角度を有する光の全反射を可能にするように選択された最小屈折率ｎＭＩＮより大きい屈折率ｎＳによって特徴付けられて成る、
光学装置。
【請求項２１】
λＲがλＢより少なくとも３０ｎｍ大きい請求項２０記載の光学装置。
【請求項２２】
α−ＦＯＶおよびα＋ＦＯＶが各々独立に、前記光透過性基板に直角な方向に対して６度より上の絶対値を有する請求項２０記載の光学装置。
【請求項２３】
λＲがλＢより少なくとも３０ｎｍ大きく、さらにα−ＦＯＶおよびα＋ＦＯＶが各々独立に、前記光透過性基板に直角な方向に対して５度より上の絶対値を有する請求項２０記載の光学装置。
【請求項２４】
前記格子ピッチｄが約０．５λＢから約０．９９λＢの間である請求項２０記載の光学装置。
【請求項２５】
前記格子ピッチｄは、前記λＢと前記ｄの間の比が約１．５の平均値を持つように選択される請求項２０記載の光学装置。
【請求項２６】
前記格子ピッチがλＢ／〔ｎＡ（１−ｓｉｎα−ＦＯＶ）〕より小さいかそれに等しく、ここでｎＡは外部媒質の屈折率である請求項２０記載の光学装置。
【請求項２７】
前記最小屈折率がλＲ／ｄ＋ｎＡｓｉｎ（α＋ＦＯＶ）より大きい請求項２０記載の光学装置。
【請求項２８】
前記全反射は予め定められた最大回折角αＤＭＡＸによって特徴付けられ、それは前記光透過性基板に直角な方向に対して９０度より小さい請求項２０記載の光学装置。
【請求項２９】
前記全反射は予め定められた最大回折角αＤＭＡＸによって特徴付けられ、それは予め定められた距離ｘ内の少なくとも一つの反射を可能にするように選択される請求項２０記載の光学装置。
【請求項３０】
前記最小屈折率が〔λＲ／ｄ＋ｎＡｓｉｎ（α＋ＦＯＶ）〕／ｓｉｎ（αＤＭＡＸ）に等しい請求項２８記載の光学装置。
【請求項３１】
前記最小屈折率が〔λＲ／ｄ＋ｎＡｓｉｎ（α＋ＦＯＶ）〕／ｓｉｎ（αＤＭＡＸ）に等しい請求項２９記載の光学装置。
【請求項３２】
前記ｎＭＩＮが約１．６から約２．０の間である請求項２０記載の光学装置。
【請求項３３】
前記光透過性基板が約０．５ｍｍから約５ｍｍの範囲の厚さである請求項２０記載の光学装置。
【請求項３４】
前記第一回折光学素子の前記直線回折格子が前記第二回折光学素子の前記直線回折格子に実質的に平行である請求項２０記載の光学装置。
【請求項３５】
前記光を発生させるための入力光源をさらに含む請求項２０記載の光学装置。
【請求項３６】
前記入力光源は入力表示源を含み、したがって前記光が画像を構成する請求項３５記載の光学装置。
【請求項３７】
前記入力光源によって発生する前記光を視準するためのコリメータをさらに含む請求項３５記載の光学装置。
【請求項３８】
前記コリメータが収束レンズおよび回折光学素子から成るグループから選択される請求項３７記載の光学装置。
【請求項３９】
光学装置の全体的サイズを低減するように配置された、光線の方向を変更するための少なくとも一つの光学素子をさらに含む請求項２０記載の光学装置。
【請求項４０】
最短波長λＢより長くかつ最長波長λＲより短い複数の波長によって特徴付けられる色スペクトルを有する光であって、第一視野角α−ＦＯＶより大きくかつ第二視野角α＋ＦＯＶより小さい角度で回折光学素子に衝突する光を誘導するための回折光学素子を製造する方法において、
（ａ）λＢの波長およびα−ＦＯＶの衝突角度を有する光の全反射を可能にするように、直線格子のピッチｄを決定するステップと、
（ｂ）λＲの波長およびα＋ＦＯＶの衝突角度を有する光の全反射を可能にするように、最小屈折率ｎＭＩＮを決定するステップと、
（ｃ）前記ｎＭＩＮより大きい屈折率ｎＳによって特徴付けられる光透過性基板に、前記格子ピッチｄによって特徴付けられる直線格子を形成するステップと
を含む方法。